(57)【要約】【課題】意匠性の高い表示装置を提供する。【解決手段】本開示の表示装置は、本体ケースの表面に設けられ、情報を表示する表示ユニットと、前記表示ユニットに積層された熱源層と、前記熱源層に積層されたデザイン層と、を備え、前記デザイン層は、温度変化によって光透過率が変化する物質を含み、前記熱源層の温度変化に追従して光透過率が変化する光透過率変化領域と、前記光透過率変化領域の外周に沿って、光透過率がグラデーション状に変化するグラデーション領域とを形成する。【選択図】図３
2020126224.tif 000002
【特許請求の範囲】
【請求項１】
本体ケースの表面に設けられ、情報を表示する表示ユニットと、
前記表示ユニットに積層された熱源層と、
前記熱源層に積層されたデザイン層と、
を備え、
前記デザイン層は、
温度変化によって光透過率が変化する物質を含み、
前記熱源層の温度変化に追従して光透過率が変化する光透過率変化領域と、前記光透過率変化領域の外周に沿って、光透過率がグラデーション状に変化するグラデーション領域と、を形成する、
表示装置。
【請求項２】
前記温度変化によって光透過率が変化する物質は、サーモクロミック材料を含む、
請求項１に記載の表示装置。
【請求項３】
前記温度変化によって光透過率が変化する物質は、前記デザイン層の体積の５％より大きく、８０％より小さい割合で前記デザイン層に含まれる、
請求項１または２に記載の表示装置。
【請求項４】
前記熱源層は、
温度変化を発生させる温度変化部と、
前記温度変化部の外周に沿って設けられ、温度が漸次変化する温度徐変部と、
を有し、
前記光透過率変化領域において、前記温度変化部の温度変化に追従して光透過率が変化し、
前記グラデーション領域において、前記温度徐変部の温度変化に追従して光透過率が変化する、
請求項１ないし３のいずれか１項に記載の表示装置。
【請求項５】
前記熱源層は、複数の前記温度変化部および複数の前記温度徐変部を有する、
請求項４に記載の表示装置。
【請求項６】
さらに、
前記複数の温度変化部を制御する接触式または非接触式の温度変化制御装置を有する、
請求項５に記載の表示装置。
【請求項７】
前記デザイン層の前記熱源層と対向する面に、前記表示ユニットからの光量または光の拡散を調整する透過光調整層が設けられている、
請求項１ないし６のいずれか１項に記載の表示装置。
【請求項８】
前記デザイン層は、天然素材の木材、石材、コルク、布、紙、革のうち少なくともいずれか１つを含む天然素材層を有する、
請求項１ないし７のいずれか１項に記載の表示装置。
【請求項９】
前記天然素材層が木材を含み、前記天然素材層に分子量１００以上５００００以下である有機樹脂が含浸されている、
請求項８に記載の表示装置。
【請求項１０】
前記天然素材層が木材、コルク、または革を含み、前記天然素材層の一部の成分を除去して脱色状態とする、
請求項８に記載の表示装置。
【請求項１１】
前記天然素材層が木材を含み、着色顔料、染料、難燃剤、または蛍光塗料のいずれかの材料が前記天然素材層の内部または表面に添加されている、
請求項８に記載の表示装置。
【請求項１２】
前記デザイン層は、接触式の操作制御装置を有し、
前記操作制御装置は、前記表示ユニットを制御する、
請求項１ないし１１のいずれか１項に記載の表示装置。
【請求項１３】
前記デザイン層は、非接触式の操作制御装置を有し、
前記操作制御装置は、前記表示ユニットを制御する、
請求項１ないし１１のいずれか１項に記載の表示装置。
【請求項１４】
前記デザイン層は、接触式の第１操作制御装置および非接触式の第２操作制御装置を有し、
前記第１操作制御装置および前記第２操作制御装置は、それぞれ前記表示ユニットに対する操作の制御を割り当てられる、
請求項１ないし１１のいずれか１項に記載の表示装置。
【発明の詳細な説明】
【技術分野】
【０００１】
本開示は、表示装置に関する。
【背景技術】
【０００２】
特許文献１に記載の情報表示装置１００を図１２に示す。情報表示装置１００は、最表面を構成する筐体１０１に液晶パネル１０２の表示範囲と同等もしくはそれよりも小さいサイズの四角孔が形成されており、外部から液晶パネル１０２に表示された情報を視認できる構成である。
【先行技術文献】
【特許文献】
【０００３】
【特許文献１】特開２０１０−２６１９７８号公報
【発明の概要】
【発明が解決しようとする課題】
【０００４】
特許文献１の情報表示装置は、意匠性を向上させるという点で未だ改善の余地がある。
【課題を解決するための手段】
【０００５】
本開示の表示装置は、本体ケースの表面に設けられ、情報を表示する表示ユニットと、前記表示ユニットに積層された熱源層と、前記熱源層に積層されたデザイン層と、を備え、前記デザイン層は、温度変化によって光透過率が変化する物質を含み、前記熱源層の温度変化に追従して光透過率が変化する光透過率変化領域と、前記光透過率変化領域の外周に沿って、光透過率がグラデーション状に変化するグラデーション領域と、を形成する。
【発明の効果】
【０００６】
本開示によると、意匠性を向上させた表示装置を提供することができる。
【図面の簡単な説明】
【０００７】
【図１】実施の形態１にかかる表示装置の基本構成を示す図である。
【図２】図１の表示装置の断面図である。
【図３】図１の表示装置のデザイン層を示す図である。
【図４】図１の表示装置の熱源層を示す図である。
【図５】図１の表示装置の変形例を示す図である。
【図６】図１の表示装置の変形例を示す図である。
【図７】実施の形態２にかかる表示装置の熱源層を示す図である。
【図８】実施の形態２にかかる表示装置のデザイン層を示す図である。
【図９】実施の形態３にかかる表示装置の断面図である。
【図１０】実施の形態４にかかる表示装置の断面図である。
【図１１】実施の形態４にかかる表示装置の断面図である。
【図１２】特許文献１の情報表示装置を示す図である。
【図１３】従来の表示装置を示す図である。
【発明を実施するための形態】
【０００８】
（本開示に至った経緯）
顧客の嗜好の多様化から幅広いデザインの表現が求められており、意匠性の高いデザインが求められている。
【０００９】
しかし、特許文献１の情報表示装置１００では、筐体１０１と液晶パネル１０２は別の部品で構成されているため、液晶パネル１０２の点灯有無にかかわらず、その境界が外部から容易に認知されてしまう。その結果、意匠性が低下するという問題がある。
【００１０】
また、図１３に示す従来の情報表示装置２００は、情報表示範囲２０１が透明な素材で形成され、その外周には任意の色で着色した加飾部２０２を有するとともに、情報表示範囲２０１と加飾部２０２との間に境界部２０３を有する。境界部２０３は任意の色から次第に透明となるグラデーションを施すことにより、情報表示範囲２０１に情報が表示されたときに、情報表示範囲２０１と加飾部２０２との境界がグラデーション状に表示される。このように、情報表示装置２００では情報表示範囲２０１に情報が表示されているときには、その周囲がグラデーション状に表現される。しかし、情報表示範囲２０１に情報が表示されていないときには、情報表示範囲２０１と加飾部２０２とのデザインが異なるため、情報表示範囲２０１の存在が容易に認知されてしまう。その結果、意匠性が低下してしまうという問題がある。
【００１１】
また、天然木をはじめとした天然素材を用いた情報表示装置もある。しかし、天然素材を用いたデザインの場合、液晶パネル等の情報表示部と天然素材との境界をグラデーション状に表現することが難しく、情報表示部と天然素材との境界が外部から容易に認知されてしまう。
【００１２】
たとえば、これらの情報表示装置を車載機器として車両に搭載することがある。運転者が視線を移動する際に、情報表示範囲に情報が表示されていない場合でも、その存在が運転者に容易に認知されてしまうため、運転者が情報表示範囲に注目してしまうことがある。これにより運転者の安全確認の遅れが発生してしまうおそれがある。
【００１３】
そこで、本発明者らは、これらの課題を解決するための表示装置を検討し、以下の構成を考案した。
【００１４】
本開示の一態様にかかる表示装置は、本体ケースの表面に設けられ、情報を表示する表示ユニットと、前記表示ユニットに積層された熱源層と、前記熱源層に積層されたデザイン層と、を備え、前記デザイン層は、温度変化によって光透過率が変化する物質を含み、前記熱源層の温度変化に追従して光透過率が変化する光透過率変化領域と、前記光透過率変化領域の外周に沿って、光透過率がグラデーション状に変化するグラデーション領域とを形成する。
【００１５】
このような構成により、意匠性を向上させることができる。
【００１６】
前記温度変化によって光透過率が変化する物質は、サーモクロミック材料を含んでもよい。
【００１７】
このような構成により、温度変化によって光透過率を変化させることにより情報の表示／非表示を選択することができるため、表示装置において、必要に応じて表示ユニットの情報を視認可能に表示させることができる。
【００１８】
前記温度変化によって光透過率が変化する物質は、前記デザイン層の体積の５％より大きく、８０％より小さい割合で前記デザイン層に含まれてもよい。
【００１９】
このような構成により、デザイン層の意匠性を損ねることなく、温度変化に追従して光透過率を変化させることができる。
【００２０】
前記熱源層は、温度変化を発生させる温度変化部と、前記温度変化部の外周に沿って設けられ、温度が漸次変化する温度徐変部と、を有し、前記光透過率変化領域において、前記温度変化部の温度変化に追従して光透過率が変化し、前記グラデーション領域において、前記温度徐変部の温度変化に追従して光透過率が変化してもよい。
【００２１】
このような構成により、光透過率を段階的に変化させることができるため意匠性を向上させることができる。
【００２２】
前記熱源層は、複数の温度変化部および複数の温度徐変部を有していてもよい。
【００２３】
このような構成により、複数の情報を表示させることができる。
【００２４】
さらに、前記複数の温度変化部を制御する接触式または非接触式の温度変化制御装置を有していてもよい。
【００２５】
このような構成により、任意の箇所に情報を表示させることができる。
【００２６】
前記デザイン層は、天然素材の木材、石材、コルク、布、紙、革のうち少なくともいずれか１つを含む天然素材層を有していてもよい。
【００２７】
このような構成により、意匠性をさらに向上させることができる。
【００２８】
前記デザイン層の前記熱源層と対向する面に、前記表示ユニットからの光量または光の拡散を調整する透過光調整層が設けられていてもよい。
【００２９】
このような構成により、光量または光の拡散を調整することができ、情報表示部の良好な画質を得ることができる。
【００３０】
前記天然素材層が木材を含み、前記天然素材層に分子量１００以上５００００以下である有機樹脂が含浸されていてもよい。
【００３１】
このような構成により、新たな機能性を付与することができる。
【００３２】
前記天然素材層が木材、コルク、または革を含み、前記天然素材層の一部の成分を除去して脱色状態としてもよい。
【００３３】
このような構成により、新たな機能性や外観を付与することができる。
【００３４】
前記天然素材層が木材を含み、着色顔料、染料、難燃剤、または蛍光塗料のいずれかの材料が前記天然素材層の内部または表面に添加されていてもよい。
【００３５】
このような構成により、新たな機能性や外観を付与することができる。
【００３６】
前記デザイン層は、接触式の操作制御装置を有し、前記操作制御装置は、前記表示ユニットを制御してもよい。
【００３７】
このような構成により、外部から信号を入力して表示ユニットに対する制御を行うことができる。
【００３８】
前記デザイン層は、非接触式の操作制御装置を有し、前記操作制御装置は、前記表示ユニットを制御してもよい。
【００３９】
このような構成により、外部から信号を入力して表示ユニットに対する制御を行うことができる。
【００４０】
前記デザイン層は、接触式の第１操作制御装置および非接触式の第２操作制御装置を有し、前記第１操作制御装置および前記第２制御装置は、それぞれ前記表示ユニットに対する操作の制御を割り当てられていてもよい。
【００４１】
このような構成により、外部から信号を入力して表示ユニットに対する制御を行うことができる。
【００４２】
以下、各実施の形態を図面に基づいて説明する。
【００４３】
（実施の形態１）
図１は、本開示の表示装置１の基本構成を示す図である。図２は、図１のデザイン層２から本体ケース５の方向に切断した際のＡ−Ａ矢視断面図である。図３は、図２のデザイン層２の平面図である。図４は、図２の熱源層の平面図である。
【００４４】
図１および図２に示すように、この表示装置１は、デザイン層２、熱源層３、表示ユニット４、および本体ケース５を備える。本体ケース５に表示ユニット４、熱源層３、デザイン層２がこの順番に積層されて形成されている。デザイン層２と熱源層３は密着されて、または熱伝導率のよい接着材等によって接着されており、熱源層３で発生した熱量がデザイン層２に効率的に伝導される。
【００４５】
デザイン層２は、外部からの温度変化に追従して光透過率が変化する物質を含んでいる。外部からの温度変化に追従して光透過率が変化する物質には、たとえば、ビアントロン類、スピロオキサジン類、スピロピラン、サリチルデンアニリン類、または二酸化バナジウム等の金属無機材料に代表される、サーモクロミック材料を使用することができる。外部からの温度変化に追従して光透過率が変化する物質は、水、ポリエチレングリコール等の高分子樹脂、または有機溶剤等の溶媒と混合し、塗装または含浸等の一般的な手法を用いてデザイン層２に含有させることができる。
【００４６】
デザイン層２には、熱源層３の温度変化に追従して光透過率が変化することによって、表示ユニット４からの情報を表示する情報表示部６が形成される。たとえば、熱源層３によって温度が上昇すると、情報表示部６は表示ユニット４からの情報を表示する。情報表示部６は、表示ユニット４に表示された情報を、デザイン層２に外部から視認可能に表示するために設けられたものである。
【００４７】
外部からの温度変化に追従して光透過率が変化する物質は、デザイン層２の体積の５％より大きく、８０％より小さい割合でデザイン層２に含まれているとよい。外部からの温度変化に追従して光透過率が変化する物質の体積がデザイン層２の体積の５％以下である場合、温度変化に対する光透過率の変化が小さく、情報表示部６において、表示ユニット４からの情報を視認可能に表示させることが困難である。また、外部からの温度変化に追従して光透過率が変化する物質の体積がデザイン層２の体積の８０％以上である場合、温度変化に追従して光透過率が変化する物質がデザイン層２に用いる素材の風合いを損ねてしまう恐れがある。
【００４８】
また、デザイン層２は、図３に示すように、その表面もしくは裏面に外部から視認される加飾である外装デザイン７を有している。本実施の形態においては、外装デザイン７としてデザイン層２に木目柄が施されている。なお、外装デザイン７は木目柄に限らず、様々なデザインを採用することができる。
【００４９】
デザイン層２においては、情報表示部の外周に沿って、光透過率がグラデーション状に変化する加飾グラデーション部１１が形成される。加飾グラデーション部１１は、熱源層３の温度変化に追従して光透過率がグラデーション状に変化する。
【００５０】
なお、情報表示部６が本開示の請求項１における「光透過率変化領域」に相当し、加飾グラデーション部１１が本開示の請求項１における「グラデーション領域」に相当する。
【００５１】
図４に示すように、熱源層３は、外周部８、温度変化部９、および温度徐変部１０を備える。温度変化部９は、熱を発生させることによって温度変化を発生させる。また、温度変化部９は、たとえば、熱源層３に透明ヒーターを配置するなどして形成することができる。また、温度変化部９は近赤外線または遠赤外線により加熱して形成することもできる。効率よく熱を伝導するために、最適な高熱伝導率、または保温機能を有する層をデザイン層２の裏面に設けてもよい。
【００５２】
外周部８は、温度変化部９の周囲に設けられる。外周部８は、温度変化部９の熱が伝導されにくい材料で形成されている。
【００５３】
温度徐変部１０は、温度変化部９と外周部８との間に設けられている。具体的には、温度徐変部１０は、温度変化部９の外周に沿って設けられている。温度徐変部１０は、温度変化部９から外周部８に向かって熱伝導率が変化する部材で形成されている。
【００５４】
温度徐変部１０は、温度変化部９で発生した熱が伝導することによって、温度変化する。具体的には、温度徐変部１０は、温度変化部９で発生した熱により温度変化部９側の温度が漸次高くなる、または低くなるような温度変化を発生させる。すなわち、温度徐変部１０においては、温度徐変部１０の内周端部１０ａから外周端部１０ｂに向かって、段階的にまたは連続的に温度が高くなる、または低くなるような温度変化が発生する。温度徐変部１０の内周端部１０ａ付近の温度は温度変化部９の温度に近く、外周端部１０ｂ付近の温度は外周部８の温度に近くなるような温度変化を発生させることで、温度変化部９から外周部８までの温度分布がグラデーション状になる。温度徐変部１０が設けられていることにより、温度変化部９で温度変化が発生している際、図３に示すように、デザイン層２には、情報表示部６から外側に向かって徐々に光透過率が低くなる加飾グラデーション部１１が形成される。
【００５５】
熱源層３に温度変化がない場合には、デザイン層２の光透過率は０％であり、表示ユニット４で表示される情報はデザイン層２の外装デザイン７で遮断されて外部から視認されず、デザイン層２に施されている外装デザイン７のみが視認される。一方、たとえば、熱源層３で熱を発生させて温度変化を起こすと、その発生した熱はデザイン層２に伝導され、デザイン層２の熱源層３の温度変化が発生した領域と重なる領域の光透過率が高くなる。これにより、表示ユニット４で表示される情報がデザイン層２を透過し、外部からその情報を視認できる状態になる。すなわち、熱源層３で熱が発生すると、デザイン層２の一部の光透過率が高くなり、表示ユニット４で表示された情報が情報表示部６に表示される。
【００５６】
熱源層３の熱の調整することで、外部から見たときに、外装デザイン７を表示させるか、情報表示部６に表示ユニット４により情報を表示させるかを任意に選択することができる。
【００５７】
表示ユニット４は、たとえば、ＬＥＤによる光パターン、ワンセグ、液晶、またはＯＬＥＤ等を採用することができる。本体ケース５は、たとえば、樹脂によって形成されており、デザイン層２、熱源層３、および表示ユニット４を収納するケースである。
【００５８】
なお、温度変化部９および温度徐変部１０の位置や大きさは、任意に変更することができる。たとえば、図５に示すように、小さい温度変化部９を熱源層３の端に寄せて配置してもよい。このようにすると、図６に示すように、デザイン層２に形成される情報表示部６の大きさがデザイン層２の大きさに比較して小さくなり、木目柄のデザインをより際立たせることができる。
【００５９】
本開示の表示装置１によると、情報表示部６に情報が表示されているときには、情報表示部６とその周囲の外装デザイン７との間をグラデーション状に表現し、情報表示部６と外装デザイン７との一体感を向上することで高い意匠性を実現することができる。また、情報表示部６に情報が表示されていないときには、その情報表示部６をデザイン層２により隠蔽することができる。
【００６０】
（変形例）
図７および図８に本実施の形態の変形例を示す。熱源層３１は、２つの温度変化部１９
および２つの温度徐変部２０を有する。このため、デザイン層２１には、２つの情報表示部１６、および２つの加飾グラデーション部１７が形成される。なお、温度変化部１９および温度徐変部２０は、任意の形状、大きさ、位置、個数で設けられていてもよい。各温度変化部１９の外周に温度徐変部２０を設けることにより、デザイン層２１の情報表示部１６の外周に加飾グラデーション部１７が形成されている。
【００６１】
このとき、温度変化制御装置を設けることにより、各温度変化部１９を個別に加熱することができる。このようにすることで、デザイン層２１の加熱された温度変化部１９の分布に連動した位置に情報表示部１６が形成され、デザイン層２１の加熱されていない温度変化部１９に連動した位置では、情報表示部１６が隠蔽されて外装デザイン７が表示される。
【００６２】
温度変化制御装置は、接触式または非接触式のもの、たとえば、透明のフィルムヒーターまたは近赤外シート等を採用することができる。温度変化制御装置は、各温度変化部１９を制御して個別に温度変化を発生させるものである。各情報表示部１６の分布と表示ユニット４で表示する情報のレイアウトを連動させることで、任意の箇所に複数の情報を表示することができる。このようにして、必要な箇所に必要な情報のみを表示することができ、情報表示部１６の外周のグラデーション効果と複合して表現することでさらに高級感を得ることができる。さらに、安全性を向上させることもできる。
【００６３】
（実施の形態２）
本開示の実施の形態２にかかる表示装置について説明する。なお、実施の形態２では、主に実施の形態１と異なる点について説明する。実施の形態２においては、実施の形態１と同一または同等の構成については同じ符号を付して説明する。また、実施の形態２では、実施の形態１と重複する記載は省略する。
【００６４】
図９は、本開示の表示装置１ａの断面図である。
【００６５】
実施の形態２の表示装置１ａは、デザイン層２２に天然素材シート１２と透過光調整層１４とを有する点で、実施の形態１と異なっている。
【００６６】
図９に示すように、本実施の形態では、デザイン層２２は、天然素材シート１２、透明ベース層１３、および透過光調整層１４を備える。
【００６７】
デザイン層２２は、樹脂またはガラスからなる透明ベース層１３の上面に、天然素材シート１２が設けられて形成されている。
【００６８】
天然素材シート１２は、天然素材の木材、石材、コルク、布、紙（和紙）、または革のいずれか１つ以上を含む材料で形成されている。熱源層３に温度変化が発生しないときは天然素材由来の色味や外観を視認することができる。なお、本実施の形態において、天然素材シートが本開示の「天然素材層」に相当する。
【００６９】
透明ベース層１３は、表示ユニット４からの光を透過して天然素材シート１２に情報表示部を形成するためのものである。
【００７０】
透過光調整層１４は、デザイン層２２の熱源層３と対向する面に設けられており、光透過性または光拡散性を調整する。すなわち、透過光調整層１４は、表示ユニット４からの光量または光の拡散を調整する。
【００７１】
なお、天然素材シート１２は透明ベース層１３の下面に配置されていてもよい。また、透過光調整層１４は天然素材シート１２の下面に配置されていてもよい。また、透過光調整層１４は設けられていなくてもよい。
【００７２】
天然素材には分子量が１００以上５００００以下の有機樹脂が含浸されていてもよい。たとえば、天然素材シート１２が木材を含むときに、天然素材シート１２に分子量１００以上５００００以下である有機樹脂を含浸してもよい。また、たとえば、天然素材シート１２が木材、コルク、または革を含み、含浸が困難な素材である場合には、天然素材シート１２の一部の成分を除去して脱色状態としてもよい。脱色処理を施した後に着色顔料や染料で加飾を行うことで、有機樹脂を含浸させることができる。また、たとえば、天然素材シート１２が木材を含むとき、着色顔料、染料、難燃剤または蛍光塗料等を天然素材シート１２の内部または表面に添加してもよい。
【００７３】
本開示の表示装置１ａによれば、天然素材由来の外観を付与することができる。また、天然素材シート１２に有機樹脂を含浸させることにより、天然素材シート１２の光透過率を高めたり、天然素材シート１２に撥水性または親水性を付与したりすることができる。また、着色顔料、染料、難燃剤または蛍光塗料等を添加したりすることにより、難燃性を向上させたり、蛍光色または原色等の天然素材にはない新たな外観を付与することができたり、凹凸、色、または柄等をより天然素材に近づけたりすることができる。このように、新たな機能を付与することもできる。また、透過光調整層１４を設けることにより、表示ユニットからの光量および光の拡散を調整して、情報表示部６から発光される光の輝度や均一性を調整することができ、良好な外観や画質を得ることができる。
【００７４】
（実施の形態３）
本開示の実施の形態３にかかる表示装置について説明する。なお、実施の形態３では、主に実施の形態２と異なる点について説明する。実施の形態３においては、実施の形態２と同一または同等の構成については同じ符号を付して説明する。また、実施の形態３では、実施の形態２と重複する記載は省略する。
【００７５】
図１０は、本開示の表示装置１ｂの断面図である。
【００７６】
実施の形態３の表示装置１ｂは、デザイン層２３に操作制御装置１５を有する点で、実施の形態２と異なっている。
【００７７】
図１０に示すように、デザイン層２３に、静電容量等を利用した接触式、または、距離画像センサー等による非接触式の操作制御装置１５が設けられている。本実施の形態では、デザイン層２３の天然素材シート１２と透明ベース層１３との間に操作制御装置１５が配置されている。操作制御装置１５により、表示ユニット４を制御して利用者が外部から信号を入力することが可能となる。
【００７８】
なお、図１１に示す表示装置１ｃのように、デザイン層２４の透過光調整層１４の熱源層３側の面に操作制御装置１５が配置されていてもよい。
【００７９】
なお、表示装置１ｂ、１ｃにおいて、接触式の操作制御装置（本開示の「第１操作制御装置」に相当する）および非接触式の操作制御装置（本開示の「第２操作制御装置」に相当する）の両方をともに備えることもできる。接触式の操作制御装置および非接触式の操作制御装置のそれぞれに、表示ユニット４に対する操作の制御を割り当てて、利用者の使用内容に応じた制御を行うことができる。
【００８０】
本開示の表示装置１ｂ、１ｃによれば、操作制御装置１５を設けることで、たとえば、情報表示部の表面に直接触れて、「輝度の調整」や「音量の調整」等のボリューム制御をすることが可能となる。すなわち、操作制御装置１５により、表示ユニット４の制御をすることができる。また、使用用途に応じて、利用者の指の接触により任意に情報表示部を移動、拡大／縮小、増加／削減等したり、熱源層３の温度変化部の大きさや位置を制御することで情報表示部の大きさや位置等を変更したりすることができる。
【００８１】
なお、上述した各実施の形態では、デザイン層２の光透過率の変化は、温度が低から高へ変化するにつれて、光透過率が小から大となるようにしたが、温度が高から低へ変化するにつれて、光透過率が小から大となるようにしてもよい。このような構成であっても、上述した表示装置の効果を奏することができる。
【産業上の利用可能性】
【００８２】
本開示は各種の家庭電化製品などの外装や、車載内装等の高級デザイン化に寄与する。
【符号の説明】
【００８３】
１、１ａ〜１ｃ  表示装置
２、２１〜２４  デザイン層
３、３１  熱源層
４  表示ユニット
５  本体ケース
６、１６  情報表示部
８  外周部
９、１９  温度変化部
１０、２０  温度徐変部
１１、１７  加飾グラデーション部
１２  天然素材シート（天然素材層）
１４  透過光調整層
１５  操作制御装置
【図１】
2020126224.tif 000003
【図２】
2020126224.tif 000004
【図３】
2020126224.tif 000005
【図４】
2020126224.tif 000006
【図５】
2020126224.tif 000007
【図６】
2020126224.tif 000008
【図７】
2020126224.tif 000009
【図８】
2020126224.tif 000010
【図９】
2020126224.tif 000011
【図１０】
2020126224.tif 000012
【図１１】
2020126224.tif 000013
【図１２】
2020126224.tif 000014
【図１３】
2020126224.tif 000015